(57)【特許請求の範囲】
【請求項１】
ヒートポンプユニットからの冷媒が流れる熱交換器によって加熱された温調水を往き配管を介して暖房端末に供給すると共に、前記暖房端末から流出した温調水を戻り配管を介して前記熱交換器へ流す循環回路と、
前記暖房端末についての設定温度を変更する設定温度変更手段と、
前記設定温度変更手段により変更された設定温度に基づいて前記循環回路を流れる温調水の温度を制御する制御手段と、
前記暖房端末が流量調整手段を有している場合に前記制御手段による制御を前記往き配管を流れる温調水の温度に基づく制御である往き水温制御状態に切り換え、前記暖房端末が流量調整手段を有してない場合に前記制御手段による制御を前記戻り配管を流れる温調水の温度に基づく制御である戻り水温制御状態に切り換える切り換え手段とを備えることを特徴とする暖房装置。
【請求項２】
前記設定温度変更手段が、複数の設定温度にそれぞれ対応した異なる表示を表示する表示部を有しており、
前記制御手段は、
往き水温制御状態において、前記設定温度変更手段により前記表示部における所定の表示に対応した所定設定温度に変更された場合に、前記所定設定温度を往き水温テーブルにしたがって変換した温度に基づいて前記往き配管を流れる温調水の温度を制御すると共に、
戻り水温制御状態において、前記設定温度変更手段により前記表示部における所定の表示に対応した所定設定温度に変更された場合に、前記所定設定温度を戻り水温テーブルに  したがって変換した温度に基づいて前記戻り配管を流れる温調水の温度を制御することを特徴とする請求項１に記載の暖房装置。
【発明の詳細な説明】
【技術分野】
【０００１】
本発明は、暖房端末と、暖房端末に供給される温調水を加熱する暖房ユニットとを備えた暖房装置に関するものである。
【背景技術】
【０００２】
暖房装置として、ヒートポンプユニットと、暖房端末である床暖房パネルと、ヒートポンプユニットから供給された冷媒によって床暖房パネルに供給される温調水を加熱する暖房ユニットとを備えたものがある（例えば、特許文献１）。この暖房ユニットは、ヒートポンプユニットから供給された冷媒と、床暖房パネルに供給される温調水との間で熱交換させる水熱交換器を備えている。
【０００３】
そして、暖房ユニットにおいて、温水循環回路に設けられたポンプなどが制御されることによって、温水循環回路を流れる温水の温度が制御される。特許文献１の暖房装置では、床暖房パネルから流出した温調水の温度である戻り水温が、目標温度になるように制御される。
【先行技術文献】
【特許文献】
【０００４】
【特許文献１】特開２００９−１３９０８２号公報
【発明の概要】
【発明が解決しようとする課題】
【０００５】
ここで、暖房ユニットに対して、暖房端末として、床暖房パネルの代わりに、ラジエータが接続されることがある。このラジエータには、ユーザによって手動で操作される暖房能力調整用の流量変更バルブが設けられている場合が多い。そして、ユーザが、例えばラジエータの暖房能力を低下させるために、流量変更バルブを閉じてラジエータへの流量を低下させバイパス量を増やすことで戻り水温が高くなる。
【０００６】
しかしながら、暖房端末として床暖房パネルが接続された場合と同様に、ラジエータから流出した温調水の温度である戻り水温に基づいて制御されると、戻り水温が高いと判断し、能力を抑えることで往き温度が低下する。この状態になるとラジエータ側の流量変更バルブが開き、今度はバイパス量を減らすことで戻り温度が低くなる。結果今度は往き温度を高くする制御となる。このように床暖房側でも暖房端末のラジエータ側双方で温調水を制御しようとするため、うまく温度制御ができない。
【０００７】
そこで、本発明は、上記のような課題を解決するためになされたものであり、暖房端末が流量調整手段を有するか否かによって制御を切り換えることができる暖房装置を提供することを目的とする。
【課題を解決するための手段】
【０００８】
第１の発明にかかる暖房装置は、ヒートポンプユニットからの冷媒が流れる熱交換器によって加熱された温調水を往き配管を介して暖房端末に供給すると共に、前記暖房端末から流出した温調水を戻り配管を介して前記熱交換器へ流す循環回路と、前記暖房端末についての設定温度を変更する設定温度変更手段と、前記設定温度変更手段により変更された設定温度に基づいて前記循環回路を流れる温調水の温度を制御する制御手段と、前記暖房端末が流量調整手段を有している場合に前記制御手段による制御を前記往き配管を流れる温調水の温度に基づく制御である往き水温制御状態に切り換え、前記暖房端末が流量調整手段を有してない場合に前記制御手段による制御を前記戻り配管を流れる温調水の温度に基づく制御である戻り水温制御状態に切り換える切り換え手段とを備える。
【０００９】
なお、「暖房端末についての設定温度」とは、流量調整手段を有さない暖房端末の場合は、暖房端末の暖房能力に対応した設定温度であり、流量調整手段を有する暖房端末の場案は、暖房端末に供給される温調水の設定温度を意味する。
【００１０】
この暖房装置では、暖房端末が流量調整手段を有さないものである場合には、戻り水温制御状態とすることで、暖房端末側の暖房負荷にあった温調水制御ができる。また、暖房端末が流量調整手段を有するものである場合には、往き温度を一定温度に制御することで、暖房端末側での暖房負荷調整が可能となる。したがって、暖房端末の流量調整手段の有無にかかわらず、循環回路を流れる温調水の温度制御を適正に行うことができる。
【００１１】
第２の発明にかかる暖房装置では、第１の発明にかかる暖房装置において、前記設定温度変更手段が、複数の設定温度にそれぞれ対応した異なる表示を表示する表示部を有しており、前記制御手段は、往き水温制御状態において、前記設定温度変更手段により前記表示部における所定の表示に対応した所定設定温度に変更された場合に、前記所定設定温度を往き水温テーブルにしたがって変換した温度に基づいて前記往き配管を流れる温調水の温度を制御すると共に、戻り水温制御状態において、前記設定温度変更手段により前記表示部における所定の表示に対応した所定設定温度に変更された場合に、前記所定設定温度を戻り水温テーブルにしたがって変換した温度に基づいて前記戻り配管を流れる温調水の温度を制御する。
【００１２】
この暖房装置では、往き水温制御状態と戻り水温制御状態とで、表示部における表示は同じであっても、その表示に対応した設定温度を異なるテーブルに基づいて変換した温度で温調水の制御が行われる。したがって、ユーザは、どちらの制御状態であるかにかかわらず、表示部に所望の設定温度に対応する表示が表示されるように温度設定を行えばよい。すなわち、制御状態に応じて温度設定方法を変更する必要がないので、利便性が向上する。
【発明の効果】
【００１３】
以上の説明に述べたように、本発明によれば、以下の効果が得られる。
【００１４】
第１の発明では、暖房端末が流量調整手段を有さないものである場合には、戻り水温制御状態とすることで、暖房端末側の暖房負荷にあった温調水制御ができる。また、暖房端末が流量調整手段を有するものである場合には、往き温度を一定温度に制御することで、暖房端末側での暖房負荷調整が可能となる。したがって、暖房端末の流量調整手段の有無にかかわらず、循環回路を流れる温調水の温度制御を適正に行うことができる。
【００１５】
第２の発明では、往き水温制御状態と戻り水温制御状態とで、表示部における表示は同じであっても、その表示に対応した設定温度を異なるテーブルに基づいて変換した温度で温調水の制御が行われる。したがって、ユーザは、どちらの制御状態であるかにかかわらず、表示部に所望の設定温度に対応する表示が表示されるように温度設定を行えばよい。すなわち、制御状態に応じて温度設定方法を変更する必要がないので、利便性が向上する。
【図面の簡単な説明】
【００１６】
【図１】本発明の実施形態にかかる暖房装置を備えた温調システムの概略構成を示す回路図である。
【図２】図１の暖房装置の詳細な構成を示す回路図であり、（ａ）は暖房端末として床暖房パネルが接続されている状態を示しており、（ｂ）は暖房端末としてラジエータが接続されている状態を示している。
【図３】図１のワイヤードリモコンを示す図である。
【図４】図２の暖房装置を制御する制御部の概略構成を示すブロック図である。
【図５】図４の水温テーブル記憶部に記憶されるテーブルを示す図であり、（ａ）は戻り温度テーブル、（ｂ）は往き温度テーブルである。
【図６】図４の制御部で行われる制御手順を示すフローチャートである。
【発明を実施するための形態】
【００１７】
以下、本発明の実施形態にかかる暖房装置を備えた温調システム１００について、図面を参照しつつ説明する。
【００１８】
＜温調システム１００の構成＞
図１に示すように、本実施形態の温調システム１００は、室外機１０（ヒートポンプユニット）と、２つの室内ユニット３０と、暖房ユニット４０と、暖房ユニット４０に接続される複数の暖房端末７０とを備えている。
【００１９】
室外機１０は、暖房ユニット４０および室内ユニット３０のいずれかが接続される複数対（本実施形態においては３対）の接続部１１ａ、１１ｂを有している。なお、図１においては、１つの暖房ユニット４０および２つの室内ユニット３０が室外機１０に接続されているが、２つ以上の暖房ユニット４０が室外機１０に接続されていてもよい。
【００２０】
室外機１０は、接続部１１ａと接続部１１ｂとの間において、圧縮機１２、室外熱交換器１５および電動膨張弁１６を順に接続して形成された冷媒流路を備えている。より詳細に説明すると、冷媒流路において、圧縮機１２の吐出管１２ａと吸入管１２ｂとが、四路切換弁１３の１次ポートに接続されている。吸入管１２ｂには、アキュムレータ１４が介設されている。吐出管１２ａには、吐出管温度検知サーミスタ２５が付設されている。一方、四路切換弁１３の２次ポートには、ヘッダ１７に至る第１ガス管２０ａと、室外熱交換器１５に至る第２ガス管２０ｂとが接続されている。ヘッダ１７は、第１ガス管２０ａを３本の分岐ガス管２１に分岐するものである。各分岐ガス管２１のヘッダ１７側とは反対側の端部は、接続部１１ａに接続されている。分岐ガス管２１には、ガス管温度検知サーミスタ２６がそれぞれ付設されている。
【００２１】
３つの接続部１１ｂには、ヘッダ１８から延びる３本の分岐液管２２がそれぞれ接続されている。分岐液管２２には、電動膨張弁１６が介設されている。電動膨張弁１６は、その開度が変化することによって、室内ユニット３０または暖房ユニット４０に送る冷媒量を変更することができ、減圧機構として機能することができる。また、分岐液管２２における電動膨張弁１６と接続部１１ｂとの間には、液管温度検知サーミスタ２７がそれぞれ付設されている。ヘッダ１８は、３本の分岐液管２２を液管２０ｃに合流させるものである。液管２０ｃのヘッダ１８側とは反対側の端部は、室外熱交換器１５に接続されている。室外熱交換器１５には、室外熱交温度検知サーミスタ２８が付設されている。
【００２２】
室外機１０には、上述の冷媒流路に加えて、外気温度検知サーミスタ２９と、制御部１９とが備えられている。制御部１９は、後述する室内ユニット３０の制御部３４、および、暖房ユニット４０の制御部５０とそれぞれ信号線で接続されている。
【００２３】
室内ユニット３０は、室外機１０に接続するための接続部３１ａ、３１ｂと、接続部３１ａと接続部３１ｂとの間を結ぶ冷媒流路とを備えている。この冷媒流路には、空気熱交換器である室内熱交換器３２が介設されており、室内熱交換器３２には、室内熱交温度検知サーミスタ３６が付設されている。そして、接続部３１ａと室内熱交換器３２との間を接続する配管には、流入冷媒温度検知サーミスタ３７が付設されている。また、室内ユニット３０には、室内ユニット３０の電気的制御を行う制御部３４が備えられている。なお、流入冷媒温度検知サーミスタ３７を設けない場合もある。
【００２４】
暖房ユニット４０は、室外機１０に接続するための接続部４１ａ、４１ｂと、接続部４１ａと接続部４１ｂとの間を結ぶ冷媒流路を備えている。この冷媒流路は、水熱交換器４２が介設されている。そして、水熱交換器４２と接続部４１ｂとの間を接続する配管には、流出冷媒温度検知サーミスタ５７が付設されている。また、暖房ユニット４０には、暖房ユニット４０の電気的制御を行う制御部５０が備えられている。なお、暖房ユニット４０の詳細な構成については後述する。
【００２５】
温調システム１００では、室外機１０の接続部１１ａと暖房ユニット４０の接続部４１ａとが連絡管９ａで接続されると共に、室外機１０の接続部１１ｂと暖房ユニット４０の接続部４１ｂとが連絡管９ｂで接続されている。また、室外機１０の接続部１１ａと室内ユニット３０の接続部３１ａとが連絡管９ａで接続されると共に、室外機１０の接続部１１ｂと室内ユニット３０の接続部３１ｂとが連絡管９ｂで接続されている。
【００２６】
そして、温調システム１００において、室外機１０、暖房ユニット４０、複数の暖房端末７０、およびワイヤードリモコン２によって、暖房装置１が構成される。なお、室外機１０は、筐体１０ａ内に上述した冷媒流路が収容されたものであり、暖房ユニット４０は、筐体４０ａ内に上述した冷媒流路および後述する温水流路が収容されたものである。すなわち、室外機１０と暖房ユニット４０とは別体に構成されており、それらは連絡管９ａ、９ｂで接続される。そして、暖房装置１においては、連絡管９ａ、９ｂによって、室外機１０内に構成された冷媒流路と暖房ユニット４０内に構成された冷媒流路とが接続され、圧縮機１２、水熱交換器４２、電動膨張弁１６、および室外熱交換器１５が順に接続された冷媒循環回路が形成されている。この冷媒循環回路においては、連絡管９ａを介して室外機１０から送られた冷媒が、接続部４１ａから暖房ユニット４０内に流れ込み、水熱交換器４２を通過した後、接続部４１ｂから流出する。
【００２７】
また、温調システム１００においては、室外機１０、室内ユニット３０、およびワイヤレスリモコン３５によって、空気調和機が構成される。室外機１０と室内ユニット３０とは、連絡管９ａ、９ｂで接続される。そして、空気調和機においては、連絡管９ａ、９ｂによって、室外機１０内に構成された冷媒流路と室内ユニット３０内に構成された冷媒流路とが接続され、圧縮機１２、室内熱交換器３２、電動膨張弁１６、および室外熱交換器１５が順に接続された冷媒循環回路が形成されている。この冷媒循環回路においては、連絡管９ａを介して室外機１０から送られた冷媒は、接続部３１ａから室内ユニット３０内に流れ込み、室内熱交換器３２を通過した後、接続部３１ｂから流出する。
【００２８】
暖房装置１および空気調和機に設けられたリモコン２、３５では、ユーザによって、運転の開始／停止の操作や、温度設定などが行われる。
【００２９】
＜暖房ユニット４０の構成＞
図２に示すように、暖房ユニット４０は、上述の冷媒流路に加えて、複数の暖房端末７０を接続するための複数対（本実施形態においては４対）の接続部４３ａ、４３ｂと、接続部４３ａと接続部４３ｂとを結ぶ温水流路とを備えている。
【００３０】
４つの接続部４３ａには、ヘッダ４７から延びる４本の戻り分岐管５１がそれぞれ接続されている。ヘッダ４７は、４本の戻り分岐管５１を戻り管５０ａに合流させるものである。戻り管５０ａのヘッダ４７側とは反対側の端部は、水熱交換器４２に接続されている。戻り管５０ａには、戻り水温検知サーミスタ５８が付設されている。
【００３１】
水熱交換器４２には、上述の戻り管５０ａに加えて、ヘッダ４８に至る往き管５０ｂが接続されている。往き管５０ｂには、水熱交換器４２側から順に、膨張タンク４５および循環ポンプ４６が介設されている。また、往き管５０ｂにおける膨張タンク４５と循環ポンプ４６との間には、往き水温検知サーミスタ５９が付設されている。なお、往き水温検知サーミスタ５９は、循環ポンプ４６とヘッダ４８の間に付設されていてもよい。ヘッダ４８は、往き管５０ａを４本の往き分岐管５２に分岐するものである。各往き分岐管５２のヘッダ４８側とは反対側の端部は、接続部４３ｂに接続されている。各往き分岐管５２には、熱動弁５３が介設されている。熱動弁５３は、暖房ユニット４０に接続される暖房端末７０に送る温調水の流量を変更するためのものである。
【００３２】
暖房ユニット４０に設けられた４対の接続部４３ａ、４３ｂには、暖房端末７０がそれぞれ取り付けられている。そして、暖房端末７０を介して、暖房ユニット４０内に構成された温水流路の端部としての接続部４３ａと接続部４３ｂとが接続され、水熱交換器４２、循環ポンプ４６、熱動弁５３、および暖房端末７０が順に接続された温水循環回路が形成される。よって、暖房装置１においては、室外機１０からの冷媒が流れる水熱交換器４２によって加熱された温調水を暖房端末７０に供給し、暖房端末７０から流出した温調水を水熱交換器４２に戻すことができる。
【００３３】
本実施形態においては、暖房端末７０として、床暖房パネル７１（図２（ａ）参照）またはラジエータ７２（図２（ｂ）参照）のいずれかが接続される。図２（ａ）に示すように、暖房ユニット４０に接続される４つの床暖房パネル７１は、２つのエリア７５、７６に分けられている。すなわち、３つの床暖房パネル７１はエリア７５に属しており、残りの１つの床暖房パネルはエリア７６に属している。図２（ｂ）に示すように、ラジエータ７２には、流量調整手段として、サーモバルブ７２ａが設けられている。サーモバルブ７２ａは、ユーザが手動で操作する操作部７２ｂを有しており、ラジエータ７２の暖房能力を調整するためのものである。暖房ユニット４０から４つのラジエータ７２に対して同一温度の温調水が供給されているが、ユーザは、ラジエータ７２の暖房能力を低くする場合、ラジエータ７２に供給される温調水の流量を減らすために、操作部７２ｂを操作することによって温調水の流路を絞り、一方、暖房能力を高くする場合、ラジエータ７２に供給される温調水の流量を増やすために、操作部７２ｂを操作することによって温調水の流路を大きくする。
【００３４】
なお、本実施の形態においては、暖房端末７０が床暖房パネル７１である場合には、床暖房ユニット４０に対して２つのワイヤードリモコン２が設けられている。ワイヤードリモコン２は、床暖房パネル７１の設定温度をエリアごとに個別に変更できるようになっている。一方、暖房端末７０がラジエータ７２である場合には、１つの暖房ユニット４０に１つのワイヤードリモコン２が設けられており、このワイヤードリモコン２で全てのラジエータ７２の操作を行う。よって、４つのラジエータ７２には、ワイヤードリモコン２で変更された設定温度に対応した同一温度の温調水が供給される。そして、各ラジエータ７２の暖房能力を個別に変更する場合には、各ラジエータ７２に設けられた操作部７２ｂを操作する必要がある。
【００３５】
暖房ユニット４０には、それに接続されている暖房端末７０が、床暖房パネル７１であるかラジエータ７２であるかを識別するための端末識別用スイッチ４９が設けられている。この端末識別用スイッチ４９は、暖房ユニット４０に暖房端末７０を接続する際に、設置業者等によって手動で操作されるものであって、暖房端末７０が床暖房パネル７１である場合にはＯＦＦ状態とされ、暖房端末７０がラジエータ７２である場合にはＯＮ状態とされる。後述するように、暖房装置１においては、床暖房パネル７１が接続されている場合とラジエータ７２が接続されている場合とで異なる制御が行われる。端末識別用スイッチ４９は、暖房装置１で行われる制御を、それに接続されている暖房端末７０の種類に応じた制御に切り換えるための切り換え手段として機能する。なお、図１および図２では、端末識別用スイッチ４９は、筐体４０ａに設置されているが、筐体４０ａ内の制御部５０に設けられていてもよい。
【００３６】
＜ワイヤードリモコン２＞
ここで、図３を参照しつつ、暖房端末７０についての設定温度を変更するためのワイヤードリモコン２について説明する。ワイヤードリモコン２は、本発明の設定温度変更手段として機能するものであり、暖房端末７０についての設定温度を入力する入力部２ａと、入力部２ａによって入力された設定温度を表示する表示部２ｂとを備えている。本実施形態においては、設定温度はレベル０〜８までの９段階の中から選択できるようになっている。なお、レベル０とは、外出中等に設定しておくキープ運転モードである。
【００３７】
入力部２ａは、円環状のボタンであり、その上部を押すことで設定温度を上げ、下部を押すことで設定温度を下げることができる。表示部２ｂには、最も短いものから順に左側から右側に向かって並んだ９本の棒状部が表示可能となっている。この９本の棒状部のうちで表示される数は、９段階の設定温度にそれぞれ対応している。
【００３８】
そして、例えば、入力部２ａによって９段階中で最も低い設定温度に対応したレベル０に変更される場合は、最も左側に位置する１つの棒状部だけが表示される。また、入力部２ａによって９段階中で５番目に高い設定温度に対応したレベル４に変更される場合は、図３に示すように、最も左側に位置する棒状部から、左側から５番目に位置する棒状部までの５つの棒状部が表示される。ここで、図３において、最も右側に位置する棒状部から、右側から４番目に位置する棒状部までは、表示されていないことを示している。
【００３９】
このように、ワイヤードリモコン２の表示部２ｂにおいては、１つから９つまでの棒状部の表示が、９段階の設定温度にそれぞれ対応している。
【００４０】
＜制御部６０＞
次に、図４を参照しつつ、暖房装置１を制御する制御部６０について説明する。制御部６０は、上述のように室外機１０に備えられた制御部１９と暖房ユニット４０に備えられた制御部５０とで構築されるものである。制御部６０は、端末識別部６１、設定温度記憶部６２、水温テーブル記憶部６４、温度変換部６５、圧縮機制御部６６、膨張弁制御部６７、循環ポンプ制御部６８、および熱動弁制御部６９を備えている。
【００４１】
端末識別部６１は、端末識別用スイッチ４９の状態に基づいて、暖房ユニット４０に接続されている暖房端末７０が床暖房パネル７１であるかラジエータ７２であるかを識別する。すなわち、端末識別用スイッチ４９がＯＦＦである場合には、床暖房パネル７１であると識別し、ＯＮである場合には、ラジエータ７２であると識別する。
【００４２】
設定温度記憶部６２は、レベル０〜８の９段階の設定温度のいずれかを設定温度として記憶する。この設定温度記憶部６２では、ユーザによりワイヤードリモコン２が操作されて設定温度の変更が行われた場合に、それに記憶されている設定温度が書き換えられる。すなわち、設定温度記憶部６２の記憶内容は、ユーザによってワイヤードリモコン２が操作されて設定温度が変更された際に、表示部２ｂに表示された表示に対応した設定温度に書き換えられる。
【００４３】
水温テーブル記憶部６４は、戻り水温テーブル記憶部６４ａと、往き水温テーブル記憶部６４ｂとを有している。戻り水温テーブル記憶部６４ａは、ユーザにより設定される設定温度と、暖房ユニット４０内の戻り管５０ａを流れる温調水である戻り温水の目標温度とを対応付ける戻り水温テーブル（図５（ａ）参照）を記憶するものである。往き水温テーブル記憶部６４ｂは、ユーザにより設定される設定温度と、暖房ユニット４０内の往き管５０ｂを流れる温調水である往き温水の目標温度とを対応付ける往き水温テーブル（図５（ｂ）参照）を記憶するものである。図５に示すように、戻り水温テーブルおよび往き温水テーブルでは、設定温度のレベル０〜８のそれぞれに、各目標温度が対応付けられている。
【００４４】
ここで、図５（ａ）は、戻り水温テーブルの一例を示しており、図５（ｂ）は、往き水温テーブルの一例を示している。図５（ａ）の戻り水温テーブルでは、設定温度レベル０〜８までの９段階に対して、戻り温水の目標温度ａ０、ａ１、ａ２・・・ａ８が対応している。
一方、図５（ｂ）の往き水温テーブルでは、設定温度レベル０〜８までの９段階に対して、往き水温の目標温度ｂ０、ｂ１、ｂ２・・・ｂ８が対応している。そして、図５（ａ）および図５（ｂ）では、同一の設定温度レベルで、戻り水温の目標温度と往き水温の目標温度とを比べた場合、設定温度レベルのいずれにおいても、往き水温の目標温度が、戻り水温の目標温度より高く設定されている。したがって、例えば、設定温度レベル０において、ａ０＜ｂ０であり、設定温度レベル１において、ａ１＜ｂ１であり、設定温度レベル８において、ａ８＜ｂ８となる。
【００４５】
温度変換部６５は、設定温度記憶部６２に記憶されている設定温度を、水温テーブル記憶部６４に記憶されているテーブルに基づいて温調水の目標温度に変換するものである。より詳細には、端末識別部６１によって、暖房端末７０が床暖房パネル７１であると識別されている場合には、設定温度記憶部６２に記憶されている設定温度を、戻り水温テーブル記憶部６４ａに記憶されているテーブルに基づいて、戻り温水の目標温度に変換する。一方、端末識別部６１によって、暖房端末７０がラジエータ７２であると識別されている場合には、設定温度記憶部６２に記憶されている設定温度を、往き水温テーブル記憶部６４ｂに記憶されているテーブルに基づいて、往き温水の目標温度に変換する。
【００４６】
圧縮機制御部６６は、室外機１０に設けられている圧縮機１２の運転周波数を制御する。膨張弁制御部６７は、室外機１０に設けられている電動膨張弁１６の開度を制御する。循環ポンプ制御部６８は、暖房ユニット４０に設けられている循環ポンプ４６の回転数を制御する。熱動弁制御部６９は、暖房ユニット４０に設けられている熱動弁５３の開閉を制御する。
【００４７】
圧縮機制御部６６、膨張弁制御部６７、および循環ポンプ制御部６８は、いずれも温度変換部６５によって変換された温調水の目標温度に基づいて制御を行う。より詳細には、端末識別部６１によって、暖房端末７０が床暖房パネル７１であると識別されている場合には、これらの制御部６６、６７、６８は、戻り水温検知サーミスタ５８で検知される戻り水温ＤＲが、温度変換部６５によって変換された温調水の目標温度（戻り温水の目標温度）ＤＲＳＥＴに一致する（近づく）ように制御する。なお、戻り水温ＤＲが、戻り温水の目標温度ＤＲＳＥＴに一致するように制御される状態が、本発明の「戻り水温制御状態」である。一方、端末識別部６１によって、暖房端末７０がラジエータ７２であると識別されている場合には、これらの制御部６６、６７、６８は、往き水温検知サーミスタ５９で検知される往き水温ＤＬが、温度変換部６５によって変換された温水の目標温度（往き温水の目標温度）ＤＬＳＥＴに一致する（近づく）ように制御する。なお、往き水温ＤＬが、往き温水の目標温度ＤＬＳＥＴと一致するように制御される状態が、本発明の「往き水温制御状態」である。
【００４８】
具体的には、温調水の検知温度と目標温度との差が大きいほど、圧縮機制御部６６は、圧縮機１２の周波数が増加するように圧縮機１２を制御し、膨張弁制御部６７は、暖房ユニット４０に供給される冷媒量を多くするように電動膨張弁１６を制御する。また、循環ポンプ制御部６８は、温調水の検知温度と目標温度との差がある範囲を超えると、循環する温水の流量を増減するように循環ポンプ４６を制御する。
【００４９】
なお、本実施の形態においては、上述のように、４つの床暖房パネル７１をエリアごとに個別に操作する２つのワイヤードリモコン２が設けられており、各床暖房パネル７１の温度設定をエリアごとに個別に行うことができる。各エリア７５、７６に対して、異なる設定温度が設定されている場合には、それらの設定温度の中で高い方の設定温度に対応する戻り温水の目標温度に基づいて、４つの床暖房パネル７１から流出した戻り温水の温度が制御される。そして、高い方の設定温度が設定されているエリアに属する床暖房パネル７１に温調水を供給する分岐管５２に設けられた熱動弁５３は、熱動弁制御部６９によって開放状態に維持される。もう一方のエリアに属する床暖房パネル７１に温調水を供給する分岐管５２に設けられた熱動弁５３は、熱動弁制御部６９によって、それぞれの設定温度にしたがって開状態と閉状態とが交互に繰り返される。また、暖房端末７０がラジエータ７２である場合には、熱動弁制御部６９は、全ての熱動弁５３が常に開放状態に維持される。
【００５０】
＜制御手順＞
ここで、図６を参照しつつ、制御部６０における制御手順について説明する。
まず、ワイヤードリモコン２によって設定温度の変更が行われた否かの判断が行われる（ステップＳ１）。設定温度の変更が行われていない場合には（ステップＳ１：ＮＯ）、設定温度の変更が行われるまで、ステップＳ１での判断が繰り返し行われる。一方、設定温度の変更が行われた場合（ステップＳ１：ＹＥＳ）には、設定温度記憶部６２に記憶されている設定温度が、変更された設定温度に書き換えられる（ステップＳ２）。続いて、暖房ユニット４０に接続されている暖房端末７０が、ラジエータ７２であるか否かの判断が行われる（ステップＳ３）。
【００５１】
端末識別部６１によって、暖房端末７０が床暖房パネル７１であると識別されている場合（ステップＳ３：ＮＯ）には、戻り水温テーブル記憶部６４ａに記憶されている戻り水温テーブルに基づいて、目標温度ＤＲＳＥＴが設定される（ステップＳ４）。すなわち、戻り水温テーブルにおいて、設定温度記憶部６２に記憶されている設定温度に対応する戻り温水の目標温度が、目標温度ＤＲＳＥＴとなる。さらに、戻り水温検知サーミスタ５８によって、戻り管５０ａを流れる温調水の温度である戻り水温ＤＲを検知する（ステップＳ５）。その後、ステップＳ５で検知された戻り水温ＤＲが、ステップＳ４で設定された目標温度ＤＲＳＥＴと一致するように、圧縮機制御部６６、膨張弁制御部６７、および循環ポンプ制御部６８によって、圧縮機１２、電動膨張弁１６、および循環ポンプ４６がそれぞれ制御される（ステップＳ６：戻り水温制御）。
【００５２】
一方、端末識別部６１によって、暖房端末７０がラジエータ７２であると識別されている場合（ステップＳ３：ＹＥＳ）には、往き水温テーブル記憶部６４ｂに記憶されている往き水温テーブルに基づいて、目標温度ＤＬＳＥＴが設定される（ステップＳ７）。すなわち、往き水温テーブルにおいて、設定温度記憶部６２に記憶されている設定温度に対応する往き温水の目標温度が、目標温度ＤＬＳＥＴとなる。さらに、往き水温検知サーミスタ５９って、往き管５０ｂを流れる温調水の温度である往き水温（ＤＬ）を検知する（ステップＳ８）。その後、ステップＳ８で検知された往き水温ＤＬが、ステップＳ７で設定された目標温度ＤＬＳＥＴに一致するように、圧縮機制御部６６、膨張弁制御部６７、および循環ポンプ制御部６８によって、圧縮機１２、電動膨張弁１６、および循環ポンプ４６がそれぞれ制御される（ステップＳ９：往き水温制御）。
【００５３】
＜暖房装置１の特徴＞
本実施形態の暖房装置１は、手動により操作される端末識別用スイッチ４９を備えており、この端末識別用スイッチ４９が、暖房ユニット４０に床暖房パネル７１が接続された場合にはＯＦＦ状態に切り換えられると共に、流量調整手段であるサーモバルブ７２ａが設けられたラジエータ７２が接続された場合にはＯＮ状態に切り換えられる。そして、端末識別用スイッチ４９がＯＦＦ状態である場合（暖房ユニット４０に床暖房パネル７１が接続されている場合）には、制御部６０による制御は、戻り管５０ａを流れる温調水の温度を制御する戻り水温制御状態となる。一方、端末識別用スイッチ４９がＯＮ状態である場合（暖房ユニット４０にラジエータ７２が接続されている場合）には、制御部６０による制御は、往き管５０ｂを流れる温調水の温度を制御する往き水温制御状態となる。
したがって、暖房端末７０が流量調整手段を有さないものである場合には、戻り水温制御状態とすることで、暖房端末７０側の暖房負荷にあった温調水制御ができる。また、暖房端末７０が流量調整手段を有するものである場合には、往き温度を一定温度に制御することで、暖房端末側での暖房負荷調整が可能となる。
よって、暖房端末７０の流量調整手段の有無にかかわらず、温水循環回路を流れる温調水の温度制御を適正に行うことができる。
【００５４】
また、本実施形態の暖房装置１では、ワイヤードリモコン２が、レベル０〜８の９段階の設定温度にそれぞれ対応した異なる表示を表示する表示部２ｂを有している。制御部６０は、戻り水温制御状態において、ワイヤードリモコン２により表示部２ｂの所定表示に対応する設定温度に変更された場合に、変更された設定温度を戻り温度テーブルにしたがって変換した目標水温（ＤＲＳＥＴ）に基づいて、戻り管５０ａを流れる温調水の温度を制御する。また、往き水温制御状態において、ワイヤードリモコン２により表示部２ｂの所定表示に対応する設定温度に変更された場合に、変更された設定温度を往き温度テーブルにしたがって変換した目標水温（ＤＬＳＥＴ）に基づいて、往き管５０ｂを流れる温調水の温度を制御する。すなわち、往き水温制御状態と戻り水温制御状態とで、表示部２ｂにおける表示は同じであっても、その表示に対応した設定温度を異なるテーブルに基づいて変換した目標温度で温調水の制御が行われる。したがって、ユーザは、どちらの制御状態であるかにかかわらず、ワイヤードリモコン２の表示部２ｂに、所望の設定温度に対応する表示が表示されるように温度設定を行えばよい。すなわち、制御状態に応じて温度設定方法を変更する必要がないので、利便性が向上する。
【００５５】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００５６】
例えば、上述の実施形態では、端末識別用スイッチ４９が暖房ユニット４０に設けられている場合について説明したが、端末識別用スイッチ４９の設置場所はこれに限定されるものではない。すなわち、例えば、室外機１０に端末識別用スイッチ４９が設けられていてもよい。
【００５７】
また、上述の実施形態では、複数の床暖房パネル７１の設定温度をエリアごとに個別に操作できる場合について説明したが、暖房ユニット４０に接続された全ての床暖房パネル７１の設定温度をそれぞれ制御可能であってもよい。また、上述の実施形態では、暖房端末７０が床暖房パネル７１の場合は、２つのワイヤードリモコン２が設けられている場合について説明したが、１台のワイヤードリモコン２によって、全ての床暖房パネル７１を操作するようにしてもよい。
【００５８】
また、上述の実施形態では、暖房ユニット４０に、床暖房パネル７１またはラジエータ７２が接続されている場合について説明したが、暖房ユニット４０には、暖房端末７０として、これら以外のものが接続されてもよい。上述の実施形態において、床暖房パネル７１は、流量調整手段を有しない暖房端末の一例であり、ラジエータ７２は、流量調整手段を有する暖房端末の一例である。
【００５９】
さらに、上述の実施形態では、戻り水温制御状態である場合も往き水温制御状態である場合も、ユーザは、ワイヤードリモコン２の表示部２ｂに所望の設定温度に対応する同一の表示が表示されるように温度設定が行われる場合について説明したが、これには限定されない。すなわち、戻り水温制御状態である場合と往き水温制御状態である場合とで、ユーザ自身が、所望の設定温度に対する戻り温水の目標温度と往き温水の目標温度との違いを考慮しつつ、温度設定を行うようにしてもよい。
【００６０】
また、上述の実施形態では、ワイヤードリモコン２の表示部２ｂが、９段階の設定温度にそれぞれ対応するように、９本の棒状部を表示可能である場合について説明したが、これには限定されない。したがって、ワイヤードリモコン２の表示部２ｂが、９段階の設定温度にそれぞれ対応するように、それらの温度を文字や数字で表示可能であってもよい。
【産業上の利用可能性】
【００６１】
本発明を利用すれば、暖房端末が流量調整手段を有するか否かによって制御を切り換えることができる。
【符号の説明】
【００６２】
２  ワイヤードリモコン（設定温度変更手段）
１０  室外機（ヒートポンプユニット）
４２  水熱交換器
４９  端末識別用スイッチ（切り換え手段）
５０ａ  戻り管
５０ｂ  往き管
６０  制御部
７０  暖房端末
【図１】
0005423640.tif 000002
【図２】
0005423640.tif 000003
【図３】
0005423640.tif 000004
【図４】
0005423640.tif 000005
【図５】
0005423640.tif 000006
【図６】
0005423640.tif 000007